(57)【要約】      （修正有）【課題】撮像エリアの撮像画像の中で何かしらの動きが検出された領域の画像の画質を、動きの検出されていない領域の画像の画質に比べて向上し、ネットワークにおける伝送路の負担も軽減する。【解決手段】カメラ装置（監視カメラ１０）は、撮像エリアを撮像する撮像部１１と、撮像された撮像エリアの撮像画像を構成する複数の領域毎に動きの有無を解析し、領域毎の動きの有無の解析結果を基に、撮像画像の領域毎の画質情報を決定する画像解析部１３と、決定された撮像画像の領域毎の画質情報を基に、撮像画像を符号化する符号化部１７と、符号化された撮像画像を外部装置に送信する通信部１９と、を備える。【選択図】図２
2017163228.tif 000002
【特許請求の範囲】
【請求項１】
撮像エリアを撮像する撮像部と、
前記撮像部により撮像された前記撮像エリアの撮像画像を構成する複数の領域毎に動きの有無を解析し、前記領域毎の動きの有無の解析結果を基に、前記撮像画像の前記領域毎の画質情報を決定する画像解析部と、
前記画像解析部により決定された前記撮像画像の前記領域毎の画質情報を基に、前記撮像画像を符号化する符号化部と、
前記符号化部により符号化された前記撮像画像を外部装置に送信する通信部と、を備える、
カメラ装置。
【請求項２】
請求項１に記載のカメラ装置であって、
前記画像解析部により決定された前記撮像画像の前記領域毎の画質情報を基に、前記撮像画像の少なくとも一部を、前記領域毎の画質情報に対応する画像に置き換えて前記撮像画像の画質調整を行う画像処理部、を更に備え、
前記符号化部は、前記画像処理部により画質調整された第２撮像画像を符号化する、
カメラ装置。
【請求項３】
請求項１に記載のカメラ装置であって、
前記画像解析部は、前記領域毎の動きの有無の解析結果を基に、前記領域毎の動きの発生頻度を算出し、算出された前記領域毎の動きの発生頻度に応じて、前記領域毎の画質情報を決定する、
カメラ装置。
【請求項４】
請求項２に記載のカメラ装置であって、
前記画像処理部は、前記画質情報が低画質を示す領域の画像の高周波成分を、前記画質情報が低画質ではない画質を示す領域の画像の高周波成分よりも少なくして前記画質調整を行う、
カメラ装置。
【請求項５】
請求項２に記載のカメラ装置であって、
前記画像処理部は、前記画質情報が低画質を示す領域の画像の更新間隔を、前記画質情報が低画質ではない画質を示す領域の画像の更新間隔よりも下げて前記画質調整を行う、
カメラ装置。
【請求項６】
請求項１に記載のカメラ装置であって、
前記符号化部は、前記画質情報が低画質を示す領域の画像の符号化率を、前記画質情報が低画質ではない画質を示す領域の画像の符号化率よりも上げて符号化を行う、
カメラ装置。
【請求項７】
請求項１に記載のカメラ装置であって、
前記画像解析部は、前記撮像エリアの撮像画像を構成する複数の領域毎に顔の有無を解析し、前記顔が検出された領域の画像の画質情報を高画質と決定する、
カメラ装置。
【請求項８】
請求項１に記載のカメラ装置であって、
前記画像解析部は、前記撮像エリアの撮像画像を構成する複数の領域毎に顔の有無を解析し、検出された顔画像が顔認証に適した画像である場合に、検出された前記顔画像を含む領域の画像の画質情報を高画質と決定する、
カメラ装置。
【請求項９】
撮像エリアを撮像する撮像部を有するカメラ装置における画質調整方法であって、
前記撮像部により撮像された前記撮像エリアの撮像画像を構成する複数の領域毎に動きの有無を解析し、
前記領域毎の動きの有無の解析結果を基に、前記撮像画像の前記領域毎の画質情報を決定し、
決定された前記撮像画像の前記領域毎の画質情報を基に、前記撮像画像を符号化し、
符号化された前記撮像画像を外部装置に送信する、
画質調整方法。
【発明の詳細な説明】
【技術分野】
【０００１】
本発明は、撮像により得られた画像の画質を調整するカメラ装置及び画質調整方法に関する。
【背景技術】
【０００２】
昨今、例えば防犯等のセキュリティを目的として、多数の監視カメラが屋内、屋外に限らず、ネットワークを介して接続された状態で様々な場所に設定されている。それぞれの監視カメラは、撮像により得られた大容量でかつ高画質な映像データを、ネットワークを介して接続された監視装置やレコーダに送信する。監視装置やレコーダに送信された映像データは、例えば後日発生した何かしらのインシデント（例えばトラブル、事件などのアクシデント）の検証に利用される。このような映像データは検証のために高画質に記録されることが好ましいが、ネットワークにおける伝送路の帯域は有限であり、帯域によっては監視カメラから高画質な映像データの伝送ができない場合がある。
【０００３】
ここで、伝送路の帯域の負担を軽減するために、撮像により得られた画像の画質を調整する装置に関する先行技術として、例えば特許文献１に示す画像処理装置が知られている。特許文献１に示す画像処理装置は、画像データから所定の条件に適合する１以上の特定領域（顔領域）を検出し、検出された１以上の特定領域を高画質化領域に設定するか否かを決定する。また、画像処理装置は、画像データのうち高画質化領域を第１の量子化パラメータを用いて、高画質化領域以外の領域を第１の量子化パラメータより大きい第２の量子化パラメータを用いてそれぞれ符号化し、符号化された画像データを出力する。これにより、画像処理装置は、高画質化領域のみを選択的に低い圧縮率で符号化し、その他の領域を高い圧縮率で符号化するので、必要な領域の画質を維持したまま、伝送路の帯域の負担を軽減できる。
【先行技術文献】
【特許文献】
【０００４】
【特許文献１】特開２０１１−８７０９０号公報
【発明の概要】
【発明が解決しようとする課題】
【０００５】
しかしながら、特許文献１の構成では、例えば撮像により得られた画像データに何かしらの動きが検出されたとしても、その動きが検出された領域において顔が検出されなければ、その動きが検出された領域の高画質画像が得られない。監視カメラの設置場所や気温等の設置環境によっては、たとえ顔が検出されなくても何かしらの動きが検出された場合には、その検出された領域における高画質画像が必要なことも考えられるため、高画質画像を得るために顔検出が必要となる点で制約があり、使い勝手が良くなかった。
【０００６】
また一方で、監視カメラにより撮像された画像全体が高画質となってしまうと、上述したように監視カメラが接続されるネットワークにおける伝送路の帯域を圧迫することになるため、同様に伝送路の帯域にかかる負担の軽減も求められる。
【０００７】
本発明は、上述した従来の課題を解決するために、撮像エリアの撮像画像の中で何かしらの動きが検出された領域の画像の画質を、動きの検出されていない領域の画像の画質に比べて向上し、ネットワークにおける伝送路の負担も軽減するカメラ装置及び画質調整方法を提供することを目的とする。
【課題を解決するための手段】
【０００８】
本発明は、撮像エリアを撮像する撮像部と、前記撮像部により撮像された前記撮像エリアの撮像画像を構成する複数の領域毎に動きの有無を解析し、前記領域毎の動きの有無の解析結果を基に、前記撮像画像の前記領域毎の画質情報を決定する画像解析部と、前記画像解析部により決定された前記撮像画像の前記領域毎の画質情報を基に、前記撮像画像を符号化する符号化部と、前記符号化部により符号化された前記撮像画像を外部装置に送信する通信部と、を備える、カメラ装置を提供する。
【０００９】
また、本発明は、撮像エリアを撮像する撮像部を有するカメラ装置における画質調整方法であって、前記撮像部により撮像された前記撮像エリアの撮像画像を構成する複数の領域毎に動きの有無を解析し、前記領域毎の動きの有無の解析結果を基に、前記撮像画像の前記領域毎の画質情報を決定し、決定された前記撮像画像の前記領域毎の画質情報を基に、前記撮像画像を符号化し、符号化された前記撮像画像を外部装置に送信する、画質調整方法を提供する。
【発明の効果】
【００１０】
本発明によれば、撮像エリアの撮像画像の中で何かしらの動きが検出された領域の画像の画質を、動きの検出されていない領域の画像の画質に比べて向上でき、ネットワークにおける伝送路の負担も軽減することができる。
【図面の簡単な説明】
【００１１】
【図１】第１の実施形態の監視カメラにより生成された画質調整済画像の一例を示す説明図
【図２】第１の実施形態の監視カメラの詳細な内部構成の一例を示すブロック図
【図３】撮像画像と撮像画像の中で動きが検出された領域の画質が調整された画質調整済画像との対比の第１例を示す図
【図４】撮像画像と撮像画像の中で動きが検出された領域の画質が調整された画質調整済画像との対比の第２例を示す図
【図５】第１の実施形態の監視カメラの画像解析部の動作手順の一例を説明するフローチャート
【図６】ブロックにおける動きの発生頻度の統計結果と注目度合いとの対応関係の一例を示すテーブル
【図７】第１の実施形態の監視カメラの符号化部の動作手順の一例を説明するフローチャート
【図８】第２の実施形態の監視カメラにより生成された画質調整済画像の一例を示す説明図
【図９】撮像画像と撮像画像の中で動きが検出された領域の画質が調整された画質調整済画像との対比の第３例を示す図
【図１０】撮像画像と撮像画像の中で動きが検出された領域の画質が調整された画質調整済画像との対比の第４例を示す図
【図１１】第２の実施形態の監視カメラの画像解析部の動作手順の一例を説明するフローチャート
【発明を実施するための形態】
【００１２】
以下、適宜図面を参照しながら、本発明に係るカメラ装置及び画質調整方法を具体的に開示した各実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。以下の各実施形態では、本発明に係るカメラ装置の一例として、所定の撮像エリアＡＲ０（例えばオフィス、工場、店舗、公園、図書館、宅内）を撮像する監視カメラを例示して説明する。
【００１３】
（第１の実施形態）
図１は、第１の実施形態の監視カメラ１０により生成された画質調整済画像ＩＭＧ１の一例を示す説明図である。第１の実施形態では、監視カメラ１０は、撮像により得た画像（以下、「撮像画像」という）を構成する複数の領域毎に動きの有無を解析し、領域毎の動きの有無の解析結果を用いて、撮像画像の領域毎の画質情報（注目度合い情報）を決定する。監視カメラ１０は、決定された領域毎の画質情報を用いて、撮像画像の少なくとも一部を、領域毎の画質情報に対応する画像（例えば高画質画像、中画質画像、低画質画像）に置き換えて撮像画像の画質調整を行うことで、画質調整済画像ＩＭＧ１を生成する。
【００１４】
図１に示す画質調整済画像ＩＭＧ１は、高画質の画質情報に従って高画質画像に編集された画像領域ＡＲ１の画像と、低画質の画質情報に従って低画質画像に編集された画像領域ＡＲ２，ＡＲ３の各画像とを有する。以下、監視カメラ１０による撮像画像の画像解析（例えば動きの有無、顔の有無）の結果によって、撮像画像の少なくとも一部の領域の画像が高画質画像、中画質画像、低画質画像のうちいずれかに置き換えられた（つまり、編集された）画像を、第２撮像画像としての「画質調整済画像」という。
【００１５】
例えば画像領域ＡＲ１は、動きが検出された領域である。つまり、画像領域ＡＲ１では、人物ＭＶ１の動きが時系列的に検出されている。例えば撮像画像のフレーム間差分により、図１紙面の右上方向から左下方向に向かって人物ＭＶ１が移動していることが検出されている。その結果、画像領域ＡＲ１では、撮像画像に比べて高画質な画像（つまり、高画質画像）となっている。
【００１６】
また画像領域ＡＲ２，ＡＲ３は、動きが検出されていない領域である。その結果、画像領域ＡＲ２，ＡＲ３では、撮像画像に比べて低画質な画像（つまり、低画質画像）となっている。なお、画像領域ＡＲ２，ＡＲ３では、撮像画像と同程度の画質の画像（つまり、中画質画像）となっても構わないが、画質調整済画像ＩＭＧ１のデータサイズの削減に伴うネットワークＮＷの伝送路の帯域の負担軽減の観点で考慮すると、低画質画像であることが好ましい。
【００１７】
図２は、第１の実施形態の監視カメラ１０の詳細な内部構成の一例を示すブロック図である。監視カメラ１０は、所定の広範な撮像エリアＡＲ０からの可視光を入射して撮像する。図２に示す監視カメラ１０は、撮像部１１と、画像解析部１３と、画像処理部１５と、符号化部１７と、ネットワーク通信部１９と、画像メモリ２１とを含む構成である。監視カメラ１０は、ネットワークＮＷを介して、外部装置としての受信装置Ａ，Ｂと接続されている。ネットワークＮＷは、有線ネットワーク（例えばＬＡＮ（Local Area Network））でも、無線ネットワーク（例えば無線ＬＡＮ、ｗｉｆｉ（登録商標））でもよい。
【００１８】
撮像部１１は、例えば１枚以上のレンズとイメージセンサとを用いて構成され、撮像エリアＡＲ０からの可視光を入射し、イメージセンサの撮像面（不図示）に可視光の光学像を撮像する。イメージセンサは、例えばＣＣＤ（Charge Coupled Device）又はＣＭＯＳ（Complementary Metal Oxide Semiconductor）を用いて構成される。撮像部１１の撮像により得られた撮像画像のフレームが画像解析部１３及び画像処理部１５にそれぞれ入力される。
【００１９】
画像解析部１３は、例えばＤＳＰ（Digital Signal Processor）等のプロセッサＰＲＣを用いて構成され、入力した撮像画像のフレームに対して各種の画像解析を行う。例えば画像解析部１３は、撮像画像のフレームを構成する複数の領域毎に動きの有無を解析し、この解析結果を用いて、撮像画像のフレームの領域毎の画像の注目度合い（つまり、画像の画質）を決定する。画像解析部１３は、撮像画像のフレームの領域毎の画像の注目度合い情報を画像処理部１５及び符号化部１７にそれぞれ出力する。注目度合いの決定に関する動作手順の詳細については、後述する図５を参照して述べる。なお、画像解析部１３は、ＣＰＵ（Central Processing Unit）又はＭＰＵ（Micro Processing Unit）等のプロセッサＰＲＣを用いて構成されても構わない。
【００２０】
画像処理部１５は、例えばＤＳＰ等のプロセッサＰＲＣを用いて構成され、画像解析部１３の出力（つまり、撮像画像のフレームの領域毎の画像の注目度合い情報）を用いて、入力した撮像画像のフレームを編集して画質調整を行う。例えば画像処理部１５は、撮像画像の一部の領域が低画質となる旨の注目度合い情報を得た場合には、撮像画像の該当する領域（言い換えると、静止領域）の画像を低画質画像に置き換える。言い換えると、画像処理部１５は、撮像画像を符号化した場合の符号化データサイズよりも小さい符号化データサイズとなる画質調整済画像を生成する。同一面積で比較すると、撮像画像の符号化データサイズより低画質画像の符号化データサイズの方が小さい。このため、撮像画像の一部でも低画質画像が置き換えられると、その置き換えにより生成された画質調整済画像の符号化データサイズは撮像画像の符号化データサイズよりも小さくなり、ネットワークＮＷの伝送路の帯域の負担軽減に資することができる。
【００２１】
画像処理部１５は、画質調整済画像の符号化データサイズを撮像画像の符号化データサイズより小さくするために、例えば撮像画像にＬＰＦ（ローパスフィルタ：Low Pass Filter）処理を行うことで、撮像画像の高周波成分を削減する。言い換えると、画像処理部１５は、注目度合いが低画質を示す領域の画像の高周波成分を、注目度合いが低画質ではない画質（例えば高画質、中画質）を示す領域の画像の高周波成分よりも下げて画質調整を行う。これにより、高周波成分（つまり、エッジ等の輪郭部分）が削減されてぼやけた画像となるので、画質調整済画像の符号化データサイズを撮像画像の符号化データサイズより小さくなるように削減可能となる。
【００２２】
また、画像処理部１５は、画質調整済画像の符号化データサイズを撮像画像の符号化データサイズより小さくするために、撮像画像の更新間隔を下げることにより、撮像画像の該当する領域（言い換えると、静止領域）の画像の更新を行わない。言い換えると、画像処理部１５は、注目度合いが低画質を示す領域の画像の更新間隔を、注目度合いが低画質ではない画質（例えば高画質、中画質）を示す領域の画像の更新間隔よりも下げて画質調整を行う。これにより、静止領域の画像の頻繁な更新が無くなるので、画像処理部１５における処理負荷の低減が可能となるとともに、画質調整済画像の符号化データサイズの増大を抑制可能となる。なお、画像処理部１５は、ＣＰＵ又はＭＰＵ等のプロセッサＰＲＣを用いて構成されても構わない。
【００２３】
また、画像処理部１５は、撮像画像の一部の領域が高画質となる旨の注目度合い情報を得た場合には、撮像画像の該当する領域（言い換えると、動き領域）の画像を高画質画像に置き換えてもよいし、高画質画像に置き換えないで撮像画像をそのまま符号化部１７に出力してもよい。
【００２４】
符号化部１７は、例えばＤＳＰ等のプロセッサＰＲＣを用いて構成され、画像解析部１３及び画像処理部１５の各出力を用いて、画像解析部１３の解析結果により指定されたＱＰ（Quantization Parameter）値（後述参照）に従って、ネットワークＮＷへの送信に適する所定のフォーマットとなるように撮像画像又は画質調整済画像を符号化する。画像解析部１３の出力は、例えば撮像画像のフレームの領域毎の画像の注目度合い情報である。画像処理部１５の出力は、例えば撮像画像又は画像処理部１５により生成された画質調整済画像である。
【００２５】
符号化部１７は、撮像画像の一部の領域が低画質となる旨の注目度合い情報を得た場合には、注目度合いが低画質を示す領域の画像の符号化（圧縮）率を、注目度合いが低画質ではない画質（例えば高画質、中画質）を示す領域の画像の符号化（圧縮）率よりも上げて符号化を行う。また、符号化部１７は、撮像画像の一部の領域が高画質となる旨の注目度合い情報を得た場合には、注目度合いが高画質を示す領域の画像の符号化率を、注目度合いが高画質ではない画質（例えば低画質、中画質）を示す領域の画像の符号化（圧縮）率よりも下げて符号化を行う。また、符号化部１７は、撮像画像の一部の領域が中画質となる旨の注目度合い情報を得た場合には、注目度合いが中画質を示す領域の画像の符号化（圧縮）率を、注目度合いが低画質を示す領域の画像の符号化率よりも下げ、かつ注目度合いが高画質を示す領域の画像の符号化（圧縮）率よりも上げて符号化を行う。なお、符号化部１７は、ＣＰＵ又はＭＰＵ等のプロセッサＰＲＣを用いて構成されても構わない。
【００２６】
通信部としてのネットワーク通信部１９は、監視カメラ１０の外部のネットワークＮＷに接続され、符号化部１７により生成された撮像画像又は画質調整済画像のデータを、ネットワークＮＷを介して外部の受信装置Ａ，Ｂに送信する。
【００２７】
画像メモリ２１は、撮像部１１、画像解析部１３、画像処理部１５、符号化部１７の各出力データを記憶する。具体的には、画像メモリ２１は、撮像部１１における撮像により得た撮像画像を記憶する。画像メモリ２１は、画像解析部１３における解析結果（例えば撮像画像を構成する領域毎の画像の注目度合い情報）を記憶する。また、画像メモリ２１は、画像処理部１５により生成された画質調整済画像を記憶する。また、画像メモリ２１は、符号化部１７により符号化された撮像画像又は画質調整済画像を記憶する。
【００２８】
図３は、撮像画像ＩＭＧ１０と撮像画像ＩＭＧ１０の中で動きが検出された領域の画質が調整された画質調整済画像ＩＭＧ１１との対比の第１例を示す図である。図４は、撮像画像ＩＭＧ２０と撮像画像ＩＭＧ２０の中で動きが検出された領域の画質が調整された画質調整済画像ＩＭＧ２１との対比の第２例を示す図である。
【００２９】
図３の上段に示す撮像画像ＩＭＧ１０のフレームでは、画像中央に示されている中央分離帯の左右で行き来している複数の車両の移動の様子が示されている。撮像画像ＩＭＧ１０のフレームは、複数の車両が移動している画像領域（つまり、動きが検出される動き領域ＡＲ１１，ＡＲ１２）と、動きが検出されない画像領域（つまり、静止領域ＡＲ１３）とに区分される。つまり、撮像画像ＩＭＧ１０のフレームは、動き領域ＡＲ１１，ＡＲ１２と静止領域ＡＲ１３とからなる複数の画像領域を有する。
【００３０】
本実施形態では、監視カメラ１０は、動き領域ＡＲ１１，ＡＲ１２の画像の画質を高画質とし、さらに静止領域ＡＲ１３の画像の画質を低画質となるように、撮像画像ＩＭＧ１０のフレームを画像処理（例えば画質調整）することによって、画質調整済画像ＩＭＧ１１のフレームを生成する。これにより、監視カメラ１０は、撮像エリア（例えば図３の道路）の撮像画像のフレームの中で複数の車両の動きが検出された動き領域ＡＲ１１，ＡＲ１２の画像の画質を、動きの検出されていない静止領域ＡＲ１３の画像の画質に比べて向上でき、動き領域ＡＲ１１，ＡＲ１２の画像の内容を相対的に際立たせることができ、動き領域ＡＲ１１，ＡＲ１２の画像の視認性を良くすることができる。
【００３１】
また、図４の上段に示す撮像画像ＩＭＧ２０では、画像中央付近に示されている数人の人物が廊下を行き来している移動の様子が示されている。撮像画像ＩＭＧ２０のフレームは、複数の人物が移動している画像領域（つまり、動きが検出される動き領域ＡＲ２１）と、動きが検出されない画像領域（つまり、静止領域ＡＲ２２）とに区分される。つまり、撮像画像ＩＭＧ２０のフレームは、動き領域ＡＲ２１と静止領域ＡＲ２２とからなる複数の画像領域を有する。
【００３２】
本実施形態では、監視カメラ１０は、動き領域ＡＲ２１の画像の画質を高画質とし、さらに静止領域ＡＲ２２の画像の画質を低画質となるように、撮像画像ＩＭＧ２０のフレームを画像処理（例えば画質調整）することによって、画質調整済画像ＩＭＧ２１を生成する。これにより、監視カメラ１０は、撮像エリア（例えば図４の廊下）の撮像画像のフレームの中で複数の人物の動きが検出された動き領域ＡＲ２１の画像の画質を、動きの検出されていない静止領域ＡＲ２２の画像の画質に比べて向上でき、動き領域ＡＲ２１の画像の内容を相対的に際立たせることができ、動き領域ＡＲ２１の画像の視認性を良くすることができる。
【００３３】
次に、本実施形態の監視カメラ１０の画像解析部１３における動作手順の詳細について、図５を参照して説明する。図５は、第１の実施形態の監視カメラ１０の画像解析部１３の動作手順の一例を説明するフローチャートである。図５に示すフローチャートの開始の前提として、例えば撮像部１１により撮像された撮像画像のデータは画像メモリ２１に記憶されている。
【００３４】
図５において、画像解析部１３は、撮像部１１から出力された撮像画像を入力し、この入力した撮像画像（入力画像）を例えば２０×２０個のブロックに分割する（Ｓ１）。ここでは、画像解析部１３が撮像画像を２０×２０個のブロックに分割すると説明しているが、ブロック数は２０×２０に限定されず、あくまで一例であり、以下の説明においても同様である。
【００３５】
画像解析部１３は、ステップＳ１において分割して得たそれぞれのブロックにおいて動き検出（つまり、動きの有無の検出）を実行する（Ｓ２）。画像解析部１３は、撮像画像を構成する計４００（＝２０×２０）個のブロックの中で１つのブロックで動きを検出した場合には（Ｓ３、ＹＥＳ）、計４００個のブロックの画像情報を画像メモリ２１から読み出す（Ｓ４）。なお、撮像画像を構成する計４００（＝２０×２０）個のブロックの中でいずれのブロックでも動きが検出されなかった場合には（Ｓ３、ＮＯ）、画像解析部１３の処理はステップＳ７に進む。
【００３６】
画像解析部１３は、ステップＳ４において読み出した４００個のブロックの画像情報を用いて、ステップＳ１において入力した撮像画像を、図２の監視カメラ１０内に不図示のＲＡＭ（Random Access Memory）に対し、例えば４０×４０個のブロックに再マッピングする（Ｓ５）。ここでは、説明を分かり易くするために、画像解析部１３が撮像画像を４０×４０個のブロックに再マッピングすると説明しているが、ブロック数は４０×４０に限定されず、あくまで一例である。
【００３７】
画像解析部１３は、ステップＳ３において動きが検出されたブロックに対応する再マッピング後の複数のブロックに対して、その複数のブロック及びその周辺のブロックにおいて動きが検出されたことを示すための補間処理（例えば穴埋め処理、拡張処理）を実行する（Ｓ６）。例えば再マッピング前の４００個のブロックの中で、ある１個のブロックで動きが検出されたとする。上述した初期（ステップＳ１）の分割数及び再マッピング時（ステップＳ５）の分割数の例によると、初期の分割数に対応する１個のブロックは、再マッピング後に合計４（＝２×２）個のブロックに対応する。このため、画像解析部１３は、再マッピング後にその対応する合計４個及びその周囲（例えば隣接している）のブロックにおいても動きが検出された扱いとすることで、動きが検出されたブロックの数を見かけ上増加し、動きが検出されたブロックの大きさを拡充する。
【００３８】
例えば、画像解析部１３は、再マッピング後の計１６００個のブロックの中で、隣接しているブロックにおいて動きが検出されている場合には、上述した穴埋め処理により、その間に挟まれたブロックにおいても動きが検出されたとする扱いをしても構わない。
【００３９】
ステップＳ６の後、画像解析部１３は、計１６００個のブロック毎に、そのブロックにおける動きの統計結果を算出して更新し、さらにそのブロックにおける注目度合いを決定して更新する（Ｓ７）。つまり、画像解析部１３は、計１６００個のブロックの１個１個に対し、１個のブロックにおける動きの発生頻度の統計結果を算出するとともに、その算出結果を用いて、そのブロックにおける注目度合い（例えば高画質、中画質、低画質）を決定する。
【００４０】
画像解析部１３は、例えば計１６００個のブロックのうち１個のブロックに対し、その１個のブロックにおける動きの発生頻度の統計結果を、数式（１）に従って算出する。１個のブロックにおける動きの発生頻度の統計結果は、そのブロックにおける動きの検出結果の履歴を定量的に示す。つまり、動きの発生頻度の統計結果により、例えばそのブロックの中で動きが多く検出されたブロックか、又は動きがあまり検出されなかったブロックかが定量的に判別可能となる。
【００４１】
「動きの発生頻度の統計結果」＝（１−α）×「前回の動きの発生頻度の統計結果」
＋α×「今回の動きの有無の検出結果」・・・（数式１）
【００４２】
数式（１）において、αは例えば２４時間中に発生する動きの検出結果の発生頻度を示す定数であり、具体的には１／４３２０００（＝５×６０×６０×２４）である。なお、本実施形態の画像解析部１３は動きの検出処理を２００ｍｓｅｃに１回行うとしているので、１秒間に５回、動きの検出処理を実行する。
【００４３】
また、数式（１）において、「今回の動きの有無の検出結果」は、「１」又は「０」である。「１」は動きが検出されたことを示し、「０」は動きが検出されなかったことを示す。「前回の動きの発生頻度の統計結果」は、数式（１）の算出対象となったブロック（つまり、１６００個のうちの１個のブロック）において前回の算出時までにおける動きの検出結果の発生頻度の履歴を示す。
【００４４】
画像解析部１３は、数式（１）の算出結果を用いて、次のようにしてブロックにおける注目度合い（例えば高画質、中画質、低画質）を決定する。図６は、ブロックにおける動きの発生頻度の統計結果と注目度合いとの対応関係の一例を示すテーブルである。
【００４５】
例えば画像解析部１３は、注目度合いの決定対象となるブロックにおける「動きの発生頻度の統計結果」が１６００個のブロックの中で最も動きの発生頻度の統計結果が高い値（つまり、最大値）の５％未満であると判断した場合には、そのブロックにおける注目度合いを「低画質」と決定し、さらに符号化部１７における符号化率を定めるＱＰ値を高い値に設定するように符号化部１７に指示する。符号化部１７は、画像解析部１３の指示を受けて、そのブロックにおける注目度合い（つまり、画質）が「低画質」となるように符号化する。
【００４６】
また例えば画像解析部１３は、注目度合いの決定対象となるブロックにおける「動きの発生頻度の統計結果」が１６００個のブロックの中で最も動きの発生頻度の統計結果が高い値（つまり、最大値）の５％〜２０％未満であると判断した場合には、そのブロックにおける注目度合いを「中画質」と決定し、さらに符号化部１７における符号化率を定めるＱＰ値を中程度の値に設定するように符号化部１７に指示する。符号化部１７は、画像解析部１３の指示を受けて、そのブロックにおける注目度合い（つまり、画質）が「中画質」となるように符号化する。
【００４７】
また例えば画像解析部１３は、注目度合いの決定対象となるブロックにおける「動きの発生頻度の統計結果」が１６００個のブロックの中で最も動きの発生頻度の統計結果が高い値（つまり、最大値）の２０％以上であって、かつそのブロックに拡張部分があると判断した場合には、そのブロックにおける注目度合いを「高画質」と決定し、さらに符号化部１７における符号化率を定めるＱＰ値を低い値に設定するように符号化部１７に指示する。符号化部１７は、画像解析部１３の指示を受けて、そのブロックにおける注目度合い（つまり、画質）が「高画質」となるように符号化する。
【００４８】
なお、拡張部分には、注目度合いの決定対象となるブロック以外に、例えばステップS６において穴埋め処理又は拡張処理されたブロックを指してもよい。穴埋め処理されたブロックは、例えば注目度合いの決定対象となったブロックの周囲例えば３ブロック分のエリアまで穴埋め処理されたブロックである。拡張処理されたブロックは、例えば注目度合いの決定対象となったブロックの周囲例えば１ブロック分のエリアまで拡張処理されたブロックである。
【００４９】
次に、本実施形態の監視カメラ１０の符号化部１７における動作手順の詳細について、図７を参照して説明する。図７は、第１の実施形態の監視カメラ１０の符号化部１７の動作手順の一例を説明するフローチャートである。図７に示すフローチャートの開始の前提として、例えば撮像部１１により撮像された撮像画像のデータ、又は画像処理部１５により生成された画質調整済画像のデータは画像メモリ２１に記憶されている。
【００５０】
図７において、符号化部１７は、再マッピング後の１６００個のブロックに対してそれぞれのブロック毎の注目度合い情報が画像解析部１３の出力に含まれているかどうかを判定する（Ｓ１１）。符号化部１７は、それぞれのブロックの中で注目度合い情報が画像解析部１３の出力に含まれていないブロックがあったと判定した場合には（Ｓ１２、ＮＯ）、そのブロックに対して符号化処理時のＱＰ値を通常値（例えば撮像画像を符号化する時に使用するＱＰ値）から変更しないで符号化処理を実行する（Ｓ１２）。
【００５１】
一方、符号化部１７は、それぞれのブロックの中で注目度合い情報が画像解析部１３の出力に含まれているブロックがあったと判定した場合には（Ｓ１２、ＹＥＳ）、そのブロック毎の注目度合い情報を用いて、撮像画像又は画質調整済画像を構成する各ブロックの注目度合いを示す注目度合いマップを生成して更新する（Ｓ１３）。
【００５２】
符号化部１７は、ステップＳ１３において生成した注目度合いマップに従って、１フレーム分の撮像画像又は画質調整済画像の符号化処理を実行する（Ｓ１４）。
【００５３】
以上により、第１の実施形態の監視カメラ１０は、撮像エリアＡＲ０の撮像画像を構成する複数の領域毎に動きの有無を解析し、領域毎の動きの有無の解析結果を用いて、撮像画像の領域毎の注目度合い（画質情報）を決定する。監視カメラ１０は、この決定した撮像画像の領域毎の注目度合いを基に、撮像画像を符号化する。監視カメラ１０は、撮像画像の一部の領域が低画質となる旨の注目度合い情報を得た場合には、注目度合いが低画質を示す領域の画像の符号化率を、注目度合いが低画質ではない画質（例えば高画質、中画質）を示す領域の画像の符号化（圧縮）率よりも上げて符号化を行う。また、監視カメラ１０は、撮像画像の一部の領域が高画質となる旨の注目度合い情報を得た場合には、注目度合いが高画質を示す領域の画像の符号化（圧縮）率を、注目度合いが高画質ではない画質（例えば低画質、中画質）を示す領域の画像の符号化（圧縮）率よりも下げて符号化を行う。また、監視カメラ１０は、撮像画像の一部の領域が中画質となる旨の注目度合い情報を得た場合には、注目度合いが中画質を示す領域の画像の符号化（圧縮）率を、注目度合いが低画質を示す領域の画像の符号化（圧縮）率よりも下げ、かつ注目度合いが高画質を示す領域の画像の符号化（圧縮）率よりも上げて符号化を行う。監視カメラ１０は、このように符号化して得た画質調整済画像を外部装置である受信装置Ａ，Ｂに送信する。
【００５４】
これにより、監視カメラ１０は、撮像エリアＡＲ０の撮像画像の中で何かしらの動きが検出された領域の画像の画質を、同撮像画像の中で動きの検出されていない領域の画像の画質に比べて向上でき、動きが検出された動き領域の画像を、動きが検出されなかった静止領域の画像に比べて際立たせることができ、画質調整済画像に対するユーザの視認性を良くできる。また、監視カメラ１０は、撮像画像全体の中で動きが検出されない静止領域を検出した場合には、その静止領域の画質を符号化データサイズの小さい低画質画像にすることができるので、撮像画像の符号化データサイズに比べて小さい符号化データサイズの画質調整済画像を得ることができる。このため、監視カメラ１０は、ネットワークＮＷを介して、撮像画像の符号化データサイズより小さい画質調整済画像の符号化データを受信装置Ａ，Ｂに送信する時、ネットワークＮＷにおける伝送路の負担を軽減することができる。
【００５５】
また、監視カメラ１０は、撮像画像を構成する領域毎の注目度合い情報を用いて、撮像画像の少なくとも一部を、領域毎の注目度合い情報に対応する画像に置き換えて撮像画像の画質調整を行い、さらに画質調整により得た画質調整済画像を符号化する。これにより、監視カメラ１０は、撮像画像を構成する領域の注目度合いが例えば低画質であれば、画像処理部１５における画像処理又は符号化部１７における符号化処理によって、通常の（つまり、画質調整を行っていない）撮像画像よりも符号化データサイズの小さい画質調整済画像を得ることができ、その画質調整済画像の送信時におけるネットワークＮＷにおける伝送路の負担をより一層軽減することができる。
【００５６】
また、監視カメラ１０は、撮像画像を構成する領域毎の動きの有無の解析結果を用いて、領域毎の動きの発生頻度を算出し、この算出値に応じて、領域毎の注目度合いを決定する。これにより、監視カメラ１０は、撮像画像の１フレームを構成する領域において、その領域において動きが検出された場合に限らず、その領域がこれまでにどの程度動きが検出されてきたか又は検出されてこなかったかの統計結果も併せて考慮した上で、その領域における注目度合い（つまり、画質）を適切に決定することができる。
【００５７】
また、監視カメラ１０は、注目度合いが低画質を示す領域の画像の高周波成分を、注目度合いが低画質ではない画質（例えば高画質、中画質）を示す領域の画像の高周波成分よりも少なくして画質調整を行って画質調整済画像を生成する。これにより、監視カメラ１０は、例えばＬＰＦ処理を画像処理部１５において行うことで、低画質として決定された領域における画像を簡易に生成できる。従って、監視カメラ１０により生成された画質調整済画像は、高周波成分（つまり、エッジ等の輪郭部分）が削減されてぼやけた画像となるので、画質調整済画像の符号化データサイズを通常の撮像画像の符号化データサイズより小さくなるように削減可能となる。
【００５８】
また、監視カメラ１０は、注目度合いが低画質を示す領域の画像の更新間隔を、注目度合いが低画質ではない画質（例えば高画質、中画質）を示す領域の画像の更新間隔よりも少なくして画質調整を行って画質調整済画像を生成する。これにより、監視カメラ１０は、例えば画像の更新間隔を画像処理部１５において３０ｆｐｓから１ｆｐｓに低減することで、画像処理部１５における処理負荷の増大を抑制でき、低画質として決定された領域における画像を簡易に生成できる。従って、監視カメラ１０により生成された画質調整済画像は、静止領域の画像の頻繁な更新が無くなるので、画像処理部１５における処理負荷の低減が可能となるとともに、画質調整済画像の符号化データサイズの増大を抑制可能となる。
【００５９】
また、監視カメラ１０は、注目度合いが低画質を示す領域の画像の符号化率（つまり、ＱＰ値）を、注目度合いが低画質ではない画質（例えば高画質、中画質）を示す領域の画像の符号化率（つまり、ＱＰ値）よりも上げて符号化処理を行って画質調整済画像を生成する。これにより、監視カメラ１０は、低画質として決定された領域における画像を簡易に生成できる。従って、監視カメラ１０により生成された画質調整済画像は、静止領域に対しては高い圧縮率で圧縮符号化されるので、通常の撮像画像のデータサイズに比べて削減可能となる。
【００６０】
（第２の実施形態）
図８は、第２の実施形態の監視カメラ１０により生成された画質調整済画像ＩＭＧ１Ａの一例を示す説明図である。なお、第２の実施形態の監視カメラ１０の内部構成は上述した第１の実施形態の監視カメラ１０の内部構成と同一であるため、同一内容の説明は簡略化又は省略し、異なる内容について説明する。
【００６１】
第２の実施形態では、監視カメラ１０は、第１の実施形態の監視カメラ１０の処理に加え、撮像画像を構成する複数の領域毎の顔の有無を解析し、顔が検出された領域の画質情報（注目度合い情報）を中画質又は高画質と決定する。監視カメラ１０は、決定された領域毎の画質情報と顔が検出された領域の画質情報とを用いて、撮像画像の少なくとも一部を、領域毎の画質情報に対応する画像（例えば高画質画像、中画質画像、低画質画像）に置き換えて撮像画像の画質調整を行うことで、画質調整済画像ＩＭＧ１Ａを生成する。
【００６２】
図８に示す画質調整済画像ＩＭＧ１Ａは、高画質の画質情報に従って高画質画像に編集された人物ＭＶ１Ａの顔画像と、中画質の画質情報に従って中画質画像に編集された画像領域ＡＲ１の画像と、低画質の画質情報に従って低画質画像に編集された画像領域ＡＲ２，ＡＲ３の各画像とを有する。
【００６３】
例えば画像領域ＡＲ１は、動きが検出された領域である。つまり、画像領域ＡＲ１では、人物ＭＶ１Ａの動きが時系列的に検出されている。例えば撮像画像のフレーム間差分により、図８紙面の右上方向から左下方向に向かって人物ＭＶ１Ａが顔又は身体の向きを変えながら移動していることが検出されている。その結果、画像領域ＡＲ１では、撮像画像と同程度な画質の画像（つまり、中画質画像）となっている。その画像領域ＡＲ１の中で、最も顔認証に適した人物ＭＶ１Ａの画像がベストショット画像として高画質画像になっている。なお、第１の実施形態も含め、本実施形態において、中画質画像は通常の撮像画像よりも画質が良くても悪くても構わないが、画質調整済画像のデータサイズの削減の観点では、中画質画像は通常の撮像画像よりも画質が多少劣化していることが好ましい。
【００６４】
また画像領域ＡＲ２，ＡＲ３は、動きが検出されていない領域である。その結果、画像領域ＡＲ２，ＡＲ３では、撮像画像に比べて低画質な画像（つまり、低画質画像）となっている。
【００６５】
また本実施形態の監視カメラ１０は、単に顔を検出した領域を含む画像を中画質又は高画質に決定するが、検出した顔画像が顔認証に適した画像であれば、その顔画像をベストショット画像（代表画像）として、そのベストショット画像の注目度合いを高画質に決定しても良い。ベストショット画像は、その画像の視認性や顔認証における認識精度向上の観点から、例えば人物が正面を向いている画像、ピンボケしていない画像、目が開いている画像が選択されることが好ましい。
【００６６】
従って、監視カメラ１０は、図８において例えば人物ＭＶ１Ａが正面を向いている画像、ピンボケしていない（言い換えると、高周波成分が欠落していない）画像、及び人物ＭＶ１Ａの目が開いている画像のうちいずれか１つを検出した場合に、その画像をベストショット画像として選択し、高画質画像となるように生成する。
【００６７】
なお、監視カメラ１０は、例えば撮像画像の複数のフレーム間差分により、同一人物の追跡を行い、かつ同一の撮像画像のフレームにおいて過去に検出された顔画像よりも直近に検出された顔画像が顔認証に適した画像（上述参照）であるとして検出した場合に、その画像をベストショット画像として選択し、ベストショット画像の画質を高画質化しても良い。これにより、監視カメラ１０は、撮像画像の複数のフレーム間における同一人物の追跡により、その人物のベストショット画像を高画質化でき、高画質化したベストショット画像を顔認証等に利用することができて顔認証時の認証精度を向上できる。
【００６８】
図９は、撮像画像ＩＭＧ２０と撮像画像ＩＭＧ２０の中で動きが検出された領域の画質が調整された画質調整済画像ＩＭＧ３１との対比の第３例を示す図である。図１０は、撮像画像ＩＭＧ２０と撮像画像ＩＭＧ２０の中で動きが検出された領域の画質が調整された画質調整済画像ＩＭＧ４１との対比の第４例を示す図である。
【００６９】
図９の上段に示す撮像画像ＩＭＧ２０では、画像中央付近に示されている数人の人物が廊下を行き来している移動の様子が示されている。撮像画像ＩＭＧ２０のフレームは、複数の人物が移動している画像領域（つまり、動きが検出される動き領域ＡＲ２１）と、動きが検出されない画像領域（つまり、静止領域ＡＲ３３と同じ面積を有する静止領域ＡＲ２２）とに区分される（図４及び図９参照）
【００７０】
ところが、第２の実施形態では、監視カメラ１０は、撮像画像を構成する複数の領域毎に顔の有無を解析する。このため、撮像画像ＩＭＧ２０のフレームは、本実施形態の監視カメラ１０により、複数の人物が移動している画像領域（つまり、動きが検出される動き領域ＡＲ３１）と、顔が検出される顔領域ＡＲ３２と、静止領域ＡＲ３３とからなる複数の画像領域を有すると判断される。なお、図９の下段に示す画質調整済画像ＩＭＧ３１では、顔領域は１個の顔領域ＡＲ３２しか示されていないが、これは図９の説明を簡単にするためであり、本実施形態の監視カメラ１０によれば、同じ撮像画像ＩＭＧ２０の中で廊下を行き来している他の人物の顔が同様に検出されるが、図９における顔領域の図示は省略している。
【００７１】
また、監視カメラ１０は、撮像画像ＩＭＧ２０の中で検出した顔画像の範囲が所定の閾値を超えた場合に限って顔検出してもよく、その閾値を超えた範囲の顔画像だけを抽出して顔領域ＡＲ３２として設定しても構わない。これにより、上述したベストショット画像と同様に、監視カメラ１０は、撮像画像の中で最もユーザに対して視認性の良い顔領域の画像を高画質化することで、顔認証等の利用に資することが可能となる。
【００７２】
本実施形態では、監視カメラ１０は、動き領域ＡＲ３１の画像の画質を中画質とし、顔領域ＡＲ３２の画像の画質を高画質とし、さらに静止領域ＡＲ３３の画像の画質を低画質となるように、撮像画像ＩＭＧ２０のフレームを画像処理（例えば画質調整）することによって、画質調整済画像ＩＭＧ３１を生成する。これにより、監視カメラ１０は、撮像エリア（例えば図９の廊下）の撮像画像のフレームの中で人物の顔が検出された画像の画質を、複数の人物の動きが検出された動き領域ＡＲ３１や動きの検出されていない静止領域ＡＲ３３の画像の画質に比べて向上でき、顔領域ＡＲ３２の画像の内容を相対的に際立たせることができ、顔領域ＡＲ３２の画像の視認性を良くすることができる。
【００７３】
また、図１０の上段に示す撮像画像ＩＭＧ２０では、画像中央付近に示されている数人の人物が廊下を行き来している移動の様子が示されている。但し、図１０に示す撮像画像ＩＭＧ２０では、図１０紙面の最も左側にいる人物は移動していないとする。この場合、撮像画像ＩＭＧ２０のフレームは、複数の人物が移動している画像領域（つまり、動きが検出される動き領域ＡＲ４１）と、動きが検出されない画像領域（つまり、静止領域ＡＲ４３と）とに区分される。ところが、上述したように静止領域ＡＲ４３の中には、移動していない最左側の人物の顔が映っており、この人物は移動していないが、顔が検出されている。つまり、撮像画像ＩＭＧ２０のフレームは、動き領域ＡＲ４１と顔領域ＡＲ４２を含む静止領域ＡＲ２３とからなる複数の画像領域を有する。
【００７４】
本実施形態では、監視カメラ１０は、動き領域ＡＲ４１の画像の画質を中画質とし、静止領域ＡＲ４３の画像の画質を低画質とし、さらに静止領域ＡＲ４３中の顔領域ＡＲ４２の画像の画質を高画質となるように、撮像画像ＩＭＧ２０のフレームを画像処理（例えば画質調整）することによって、画質調整済画像ＩＭＧ４１を生成する。これにより、監視カメラ１０は、撮像エリア（例えば図１０の廊下）の撮像画像のフレームの中で静止領域ＡＲ４３内ではあるがその中で顔が検出された顔領域ＡＲ４２の画像の画質を、他の複数の人物の動きが検出された動き領域ＡＲ４１や動きの検出されていない静止領域ＡＲ４３の画像の画質に比べて向上でき、顔領域ＡＲ４２の画像の内容を相対的に際立たせることができ、静止領域ＡＲ４３内の顔領域ＡＲ４２の画像の視認性を良くすることができる。
【００７５】
次に、本実施形態の監視カメラ１０の画像解析部１３における動作手順の詳細について、図１１を参照して説明する。図１１は、第２の実施形態の監視カメラ１０の画像解析部１３の動作手順の一例を説明するフローチャートである。図１１に示すフローチャートの開始の前提として、例えば撮像部１１により撮像された撮像画像のデータは画像メモリ２１に記憶されている。また、図１１の説明では、図５の説明と同一の内容については同一のステップ番号を付与して説明を簡略化又は省略し、異なる内容について説明する。
【００７６】
図１１において、画像解析部１３は、ステップＳ１の後、ステップＳ１において分割して得たそれぞれのブロックにおいて動き検出（つまり、動きの有無の検出）を実行するとともに、所定数個のブロック（例えば４×４個）を単位として顔検出（つまり、顔の有無の検出）を実行する（Ｓ２Ａ）。所定数個のブロックは４×４を一例として説明しており、１×１でも８×８でも構わない。
【００７７】
また、画像解析部１３は、ステップＳ６の後、第１の実施形態と同様に（図５参照）、計１６００個のブロック毎に、そのブロックにおける動きや顔の統計結果を算出して更新し、さらにそのブロックにおける注目度合いを決定して更新する（Ｓ７）。つまり、画像解析部１３は、計１６００個のブロックの１個１個に対し、１個のブロックにおける動きや顔の発生頻度の統計結果を算出するとともに、その算出結果を用いて、そのブロックにおける注目度合い（例えば高画質、中画質、低画質）を決定する。
【００７８】
具体的には、画像解析部１３は、第１の実施形態と同様に個々のブロックにおける注目度合いを決定するとともに（図５参照）、さらに個々のブロックにおいて顔を検出した場合には、優先的にそのブロックの注目度合いを高画質となるように決定する。なお、画像解析部１３は、顔を検出したブロックの注目度合いを優先的に高画質となるように決定してもよいが、顔を検出したブロックの注目度合いを中画質となるように決定してもよい。これにより、監視カメラ１０は、画質調整済画像のデータサイズの増大を抑制できる。
【００７９】
以上により、第２の実施形態の監視カメラ１０は、第１の実施形態の監視カメラ１０に加え、撮像画像を構成する複数の領域毎の顔の有無を解析し、顔が検出された領域の画質情報（注目度合い情報）を中画質又は高画質と決定する。監視カメラ１０は、決定された領域毎の画質情報と顔が検出された領域の画質情報とを用いて、撮像画像の少なくとも一部を、領域毎の画質情報に対応する画像（例えば高画質画像、中画質画像、低画質画像）に置き換えて撮像画像の画質調整を行うことで、画質調整済画像を生成する。
【００８０】
これにより、監視カメラ１０は、撮像エリアＡＲ０の撮像画像のフレームの中で人物の顔が検出された画像の画質を、他の人物の動きが検出された動き領域や動きの検出されていない静止領域の画像の画質に比べて向上でき、顔領域の画像の内容を相対的に際立たせることができ、顔領域の画像の視認性を良くすることができる。
【００８１】
また、監視カメラ１０は、撮像エリアＡＲ０の撮像画像を構成する複数の領域毎に顔の有無を解析し、検出された顔画像が顔認証に適した画像である場合に、検出された顔画像を含む領域の画像の画質情報を優先的に高画質と決定する。これにより、監視カメラ１０は、撮像画像の複数のフレーム間により、その人物のベストショット画像（例えば顔が正面を向いている画像）を高画質化でき、高画質化したベストショット画像を顔認証等に利用することができて顔認証時の認証精度を向上できる。
【００８２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００８３】
本発明は、撮像エリアの撮像画像の中で何かしらの動きが検出された領域の画像の画質を、動きの検出されていない領域の画像の画質に比べて向上し、ネットワークにおける伝送路の負担も軽減するカメラ装置及び画質調整方法として有用である。
【符号の説明】
【００８４】
１０  監視カメラ
１１  撮像部
１３  画像解析部
１５  画像処理部
１７  符号化部
１９  ネットワーク通信部
２１  画像メモリ
ＮＷ  ネットワーク
ＰＲＣ  プロセッサ
ＩＭＧ１０、ＩＭＧ２０  撮像画像
ＩＭＧ１、ＩＭＧ１Ａ、ＩＭＧ１１、ＩＭＧ２１、ＩＭＧ３１、ＩＭＧ４１  画質調整済画像
ＭＶ１、ＭＶ１Ａ  人物
【図１】
2017163228.tif 000003
【図２】
2017163228.tif 000004
【図３】
2017163228.tif 000005
【図４】
2017163228.tif 000006
【図５】
2017163228.tif 000007
【図６】
2017163228.tif 000008
【図７】
2017163228.tif 000009
【図８】
2017163228.tif 000010
【図９】
2017163228.tif 000011
【図１０】
2017163228.tif 000012
【図１１】
2017163228.tif 000013
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
ネットワークに接続され、該ネットワークに接続された監視装置あるいはレコーダに対して撮像により得られた画像を送信する監視カメラであって、
撮像エリアを撮像する撮像部と、
前記撮像部により撮像された前記撮像エリアの撮像画像を構成する複数の領域毎に動きの有無及び顔の有無を解析し、動き及び顔を検出しない領域を低画質、動きを検出した領域を中画質、顔を検出した領域を高画質として前記撮像画像の前記領域毎の画質情報を決定する画像解析部と、
前記画像解析部により決定された前記撮像画像の前記領域毎の画質情報を基に、前記撮像画像を、前記領域毎の画質情報に対応する画像に置き換えて前記撮像画像の画質調整を行う画像処理部と、
前記画像処理部により画質調整された撮像画像を符号化する符号化部と、
前記符号化部により符号化された撮像画像を前記監視装置あるいはレコーダに送信する通信部と、を備える、
監視カメラ。
【請求項２】
請求項１に記載の監視カメラであって、
前記画像処理部は、前記画質情報が低画質を示す領域の画像の高周波成分を、前記画質情報が中画質または高画質を示す領域の画像の高周波成分よりも少なくして前記画質調整を行う、
監視カメラ。
【請求項３】
請求項１に記載の監視カメラであって、
前記画像処理部は、前記画質情報が低画質を示す領域の画像の更新間隔を、前記画質情報が中画質または高画質を示す領域の画像の更新間隔よりも下げて前記画質調整を行う、
監視カメラ。
【請求項４】
請求項１に記載の監視カメラであって、
前記符号化部は、前記画質情報が中画質を示す領域の画像の符号化率を、前記画質情報が低画質を示す領域の画像の符号化率よりも下げて符号化を行い、前記画質情報が高画質を示す領域の画像の符号化率よりも上げて符号化を行う、
監視カメラ。
【請求項５】
ネットワークに接続され、該ネットワークに接続された監視装置あるいはレコーダに対して撮像により得られた画像を送信する監視カメラであって、 
撮像エリアを撮像する撮像部と、
前記撮像部により撮像された前記撮像エリアの撮像画像を構成する複数の領域毎に動きの有無及び顔の有無を解析し、動き及び顔を検出しない領域を低画質、動き又は顔を検出した領域を中画質として前記撮像画像の前記領域毎の画質情報を決定する画像解析部と、
前記画像解析部により決定された前記撮像画像の前記領域毎の画質情報を基に、前記撮像画像を、前記領域毎の画質情報に対応する画像に置き換えて前記撮像画像の画質調整を行う画像処理部と、
前記画像処理部により画質調整された撮像画像を符号化する符号化部と、
前記符号化部により符号化された撮像画像を前記監視装置あるいはレコーダに送信する通信部と、を備え、
前記画像解析部は、検出した顔の撮像画像が、正面を向いている画像、ピンボケしていない画像、あるいは目が開いている画像のいずれかの撮像画像である場合、検出した前記顔の撮像画像が顔認証に適した画像であると判断し、検出された前記顔の撮像画像を含む領域を高画質として前記顔の撮像画像の画質情報を決定する、
監視カメラ。
【請求項６】
ネットワークに接続され、該ネットワークに接続された監視装置あるいはレコーダに撮像により得られた画像を送信する監視カメラにおける画質調整方法であって、
撮像エリアを撮像する撮像部により撮像された前記撮像エリアの撮像画像を構成する複数の領域毎に動きの有無及び顔の有無を解析し、
動き及び顔を検出しない領域を低画質、動きを検出した領域を中画質、顔を検出した領域を高画質として前記撮像画像の前記領域毎の画質情報を決定し、
前記決定された前記撮像画像の前記領域毎の画質情報を基に、前記撮像画像を、前記領域毎の画質情報に対応する画像に置き換えて前記撮像画像の画質調整を行い、
前記画質調整された前記撮像画像を符号化し、
前記符号化された撮像画像を前記監視装置あるいはレコーダに送信する、
画質調整方法。 
【手続補正３】
【補正対象書類名】明細書
【補正対象項目名】０００１
【補正方法】変更
【補正の内容】
【０００１】
本発明は、撮像により得られた画像の画質を調整する監視カメラ及び画質調整方法に関する。 
【手続補正４】
【補正対象書類名】明細書
【補正対象項目名】０００７
【補正方法】変更
【補正の内容】
【０００７】
本発明は、上述した従来の課題を解決するために、撮像エリアの撮像画像の中で何かしらの動きが検出された領域の画像の画質を、動きの検出されていない領域の画像の画質に比べて向上し、ネットワークにおける伝送路の負担も軽減する監視カメラ及び画質調整方法を提供することを目的とする。 
【手続補正５】
【補正対象書類名】明細書
【補正対象項目名】０００８
【補正方法】変更
【補正の内容】
【０００８】
本発明は、ネットワークに接続され、該ネットワークに接続された監視装置あるいはレコーダに対して撮像により得られた画像を送信する監視カメラであって、撮像エリアを撮像する撮像部と、前記撮像部により撮像された前記撮像エリアの撮像画像を構成する複数の領域毎に動きの有無及び顔の有無を解析し、動き及び顔を検出しない領域を低画質、動きを検出した領域を中画質、顔を検出した領域を高画質として前記撮像画像の前記領域毎の画質情報を決定する画像解析部と、前記画像解析部により決定された前記撮像画像の前記領域毎の画質情報を基に、前記撮像画像を、前記領域毎の画質情報に対応する画像に置き換えて前記撮像画像の画質調整を行う画像処理部と、前記画像処理部により画質調整された撮像画像を符号化する符号化部と、前記符号化部により符号化された撮像画像を前記監視装置あるいはレコーダに送信する通信部と、を備える、監視カメラを提供する。 
【手続補正６】
【補正対象書類名】明細書
【補正対象項目名】０００９
【補正方法】変更
【補正の内容】
【０００９】
また、本発明は、ネットワークに接続され、該ネットワークに接続された監視装置あるいはレコーダに撮像により得られた画像を送信する監視カメラにおける画質調整方法であって、撮像エリアを撮像する撮像部により撮像された前記撮像エリアの撮像画像を構成する複数の領域毎に動きの有無及び顔の有無を解析し、動き及び顔を検出しない領域を低画質、動きを検出した領域を中画質、顔を検出した領域を高画質として前記撮像画像の前記領域毎の画質情報を決定し、前記決定された前記撮像画像の前記領域毎の画質情報を基に、前記撮像画像を、前記領域毎の画質情報に対応する画像に置き換えて前記撮像画像の画質調整を行い、前記画質調整された前記撮像画像を符号化し、前記符号化された撮像画像を前記監視装置あるいはレコーダに送信する、画質調整方法を提供する。 
【手続補正７】
【補正対象書類名】明細書
【補正対象項目名】００８３
【補正方法】変更
【補正の内容】
【００８３】
本発明は、撮像エリアの撮像画像の中で何かしらの動きが検出された領域の画像の画質を、動きの検出されていない領域の画像の画質に比べて向上し、ネットワークにおける伝送路の負担も軽減する監視カメラ及び画質調整方法として有用である。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
ネットワークに接続され、該ネットワークに接続された監視装置あるいはレコーダに対して撮像により得られた画像を送信する監視カメラであって、
撮像エリアを撮像する撮像部と、
前記撮像部により撮像された前記撮像エリアの撮像画像を構成する複数の領域毎に動きの有無及び顔の有無を解析し、動き及び顔を検出しない領域を低画質、動き又は顔を検出した領域を中画質又は高画質として前記撮像画像の前記領域毎の画質情報を決定する画像解析部と、
前記画像解析部により決定された前記撮像画像の前記領域毎の画質情報を基に、前記撮像画像を、前記領域毎の画質情報に対応する画像に置き換えて前記撮像画像の画質調整を行う画像処理部と、
前記画像処理部により画質調整された撮像画像を符号化する符号化部と、
前記符号化部により符号化された撮像画像を、前記ネットワークを介して前記監視装置あるいはレコーダに送信する通信部と、を備え、
前記画像解析部は、前記検出した顔の撮像画像の領域の画質情報が中画質と決定され、かつ前記検出した顔の撮像画像が、正面を向いている画像、ピンボケしていない画像、あるいは目が開いている画像のいずれかの撮像画像である場合、前記検出した顔の撮像画像が顔認証に適した画像であると判断し、前記検出した顔の撮像画像の領域を高画質として前記検出した顔の撮像画像の画質情報を決定する、
監視カメラ。 
【手続補正３】
【補正対象書類名】明細書
【補正対象項目名】０００１
【補正方法】変更
【補正の内容】
【０００１】
本発明は、撮像により得られた画像の画質を調整する監視カメラに関する。 
【手続補正４】
【補正対象書類名】明細書
【補正対象項目名】０００７
【補正方法】変更
【補正の内容】
【０００７】
本発明は、上述した従来の課題を解決するために、撮像エリアの撮像画像の中で何かしらの動きが検出された領域の画像の画質を、動きの検出されていない領域の画像の画質に比べて向上し、ネットワークにおける伝送路の負担も軽減する監視カメラを提供することを目的とする。 
【手続補正５】
【補正対象書類名】明細書
【補正対象項目名】０００８
【補正方法】変更
【補正の内容】
【０００８】
本発明は、ネットワークに接続され、該ネットワークに接続された監視装置あるいはレコーダに対して撮像により得られた画像を送信する監視カメラであって、撮像エリアを撮像する撮像部と、前記撮像部により撮像された前記撮像エリアの撮像画像を構成する複数の領域毎に動きの有無及び顔の有無を解析し、動き及び顔を検出しない領域を低画質、動き又は顔を検出した領域を中画質又は高画質として前記撮像画像の前記領域毎の画質情報を決定する画像解析部と、前記画像解析部により決定された前記撮像画像の前記領域毎の画質情報を基に、前記撮像画像を、前記領域毎の画質情報に対応する画像に置き換えて前記撮像画像の画質調整を行う画像処理部と、前記画像処理部により画質調整された撮像画像を符号化する符号化部と、前記符号化部により符号化された撮像画像を、前記ネットワークを介して前記監視装置あるいはレコーダに送信する通信部と、を備え、前記画像解析部は、前記検出した顔の撮像画像の領域の画質情報が中画質と決定され、かつ前記検出した顔の撮像画像が、正面を向いている画像、ピンボケしていない画像、あるいは目が開いている画像のいずれかの撮像画像である場合、前記検出した顔の撮像画像が顔認証に適した画像であると判断し、前記検出した顔の撮像画像の領域を高画質として前記検出した顔の撮像画像の画質情報を決定する、監視カメラを提供する。 
【手続補正６】
【補正対象書類名】明細書
【補正対象項目名】０００９
【補正方法】削除
【補正の内容】
【手続補正７】
【補正対象書類名】明細書
【補正対象項目名】００８３
【補正方法】変更
【補正の内容】
【００８３】
本発明は、撮像エリアの撮像画像の中で何かしらの動きが検出された領域の画像の画質を、動きの検出されていない領域の画像の画質に比べて向上し、ネットワークにおける伝送路の負担も軽減する監視カメラとして有用である。